(57)【要約】本発明は、第１の抽出サブアセンブリ（１０）と第２の抽出サブアセンブリ（１１）とを備え、第２の抽出サブアセンブリが、閉鎖位置において抽出チャンバ（１３）を形成するように第１の抽出サブアセンブリを閉鎖し、開位置において、カプセルを前記２つのサブアセンブリ間に導入するために該２つのサブアセンブリ間に十分な空間（１４）を提供する抽出手段と、２つのサブアセンブリ（１０、１１）間にカプセル（１２）を保持及び位置決めする手段（９）とを備えた、抽出のための物質を入れたカプセル（１２）からの飲料の加圧準備用のリニヤ閉鎖体を備えた抽出モジュールに関する。保持及び位置決め手段（９）は、可動抽出サブアセンブリの直線変位に対して同軸的に移動でき、また、カプセルの周りでの２つのサブアセンブリ（１０、１１）の閉鎖を可能にするように、第２の可動サブアセンブリ（１１）によって変位位置に直線的に変位されることができるようになっている。
2006516432.tif 000002
【特許請求の範囲】
【請求項１】
抽出する物質を入れたカプセル（１２）から飲料を作るために圧力下で抽出するモジュール（１）であって、
第１の抽出サブアセンブリ（１０）と第２の抽出サブアセンブリ（１１）とを備え、前記第２の抽出サブアセンブリが、閉鎖時に前記第１の抽出サブアセンブリに対して移動して、閉鎖位置において、閉鎖平面（Ｐ）内でカプセルを囲む抽出チャンバ（１３）を形成し、また、開位置では、前記２つのサブアセンブリ間に十分な空間（１４）を維持して、カプセルを該２つのサブアセンブリ間に挿入できるようになっている抽出手段と、
前記２つのサブアセンブリ（１０、１１）間に前記カプセルを保持及び位置決めし、該２つのサブアセンブリ間に前記カプセルを保持するように開口空間（１４）を部分的に閉じる手段（９）と、を備えた前記モジュールにおいて、
前記保持及び位置決め手段（９）が、前記可動抽出サブアセンブリの直線変位に対して同軸的に移動でき、また、前記第２の可動サブアセンブリ（１１）によって後退位置に直線的に押し戻され、それによって前記２つのサブアセンブリ（１０、１１）が前記カプセルの周りで閉じることができるようになっていることを特徴とするモジュール。
【請求項２】
前記保持及び位置決め手段が、前記閉鎖平面（Ｐ）内の複数の軸線に沿って前記開口空間内で前記カプセルを芯合わせすることが可能な単一の部品の形態になっていることを特徴とする請求項１に記載の抽出モジュール。
【請求項３】
前記第１のサブアセンブリ（１０）はベース（６）を備え、前記保持及び位置決め手段（９）は、前記第１のサブアセンブリ（１０）の前記ベース（６）の周りに取り付けられることを特徴とする請求項２に記載の抽出モジュール。
【請求項４】
前記保持及び位置決め手段（９）は、前記カプセル（１２）を保持及び位置決めする開口円筒部（９０）と、前記抽出サブアセンブリ（１１）の前記ベース（６）の周りに取り付けられた環状案内部（９１）とを有することを特徴とする請求項３に記載の抽出モジュール。
【請求項５】
前記カプセルを前記モジュールから取り出すカプセル取出手段（７）が設けられていることを特徴とする前記請求項のいずれか一項に記載の抽出モジュール。
【請求項６】
前記カプセルを取り出す取出手段（７）は、前記第１の抽出サブアセンブリ（１０）から離れるときに、前記第２の可動サブアセンブリ（１１）の直線戻り動作によって、開口中に操作されることを特徴とする請求項５に記載の抽出モジュール。
【請求項７】
前記保持及び位置決め手段（９）は、前記抽出サブアセンブリ（１０、１１）が閉じているときに後退位置に係止され、前記カプセルが前記取出手段（９）によって取り出された後にのみ、保持位置で係止が外されることを特徴とする請求項５に記載の抽出モジュール。
【請求項８】
前記後退位置で前記保持及び抽出手段（９）の係止を外すことは、係脱するときに、前記可動抽出サブアセンブリ（１１）の直線戻り動作によって直接達成されることを特徴とする請求項５に記載の抽出モジュール。
【請求項９】
前記保持及び位置決め手段（９）は、前記第２の抽出サブアセンブリ（１１）の直線戻り移動の終わりに、係止が外されることを特徴とする請求項８に記載のモジュール。
【請求項１０】
前記取出手段（７）は、挿入方向以外の方向、好ましくはほぼ反対方向に前記カプセル（１２）を前記モジュールから取り出すように構成されていることを特徴とする請求項５から９までのいずれか一項に記載のモジュール。
【請求項１１】
前記取出手段（７）は、前記２つの抽出サブアセンブリ（１０、１１）が閉じているときに弾性的に張力を受け、前記２つのサブアセンブリが再び開いたときに、取出しを行なうようにその弾性的張力から解放されることを特徴とする請求項５から１０までのいずれか一項に記載のモジュール。
【請求項１２】
前記取出手段（７）は、前記保持及び位置決め手段の一部を形成する少なくとも１つの弾性張力要素（９２）と接触することにより、弾性的に張力を受けることを特徴とする請求項１１に記載のモジュール。
【請求項１３】
前記取出手段（７）は、前記固定抽出サブアセンブリに連節されると共に、前記保持及び位置決め手段（９）によって支承される少なくとも１つの板ばね（９２）と接触することにより張力が加えられる、リングの形のレバー（７０）からなることを特徴とする請求項１１及び１２の一項に記載のモジュール。
【請求項１４】
前記可動抽出サブアセンブリ（１１）は、閉鎖時に油圧又は電気手段によって作動させることができる、ピストン・タイプの直線作動手段（２０、３０、１４０、１５０）を有することを特徴とする請求項１に記載のモジュール。
【請求項１５】
前記第１の抽出サブアセンブリ（１０）が固定されていることを特徴とする請求項１に記載のモジュール。
【請求項１６】
前記第１の抽出サブアセンブリ（１０）は、前記カプセルを開く解放要素を有するカプセル受入区域を備えることを特徴とする請求項１５に記載のモジュール。
【請求項１７】
前記第２の可動サブアセンブリは、相補的カプセル受入区域（５）と、前記カプセルに水を供給する手段（５０、５１）とを備えることを特徴とする請求項１６に記載のモジュール。
【請求項１８】
前記水を供給する手段は、カプセル貫通要素（５０）を備えることを特徴とする請求項１７に記載のモジュール。
【発明の詳細な説明】
【技術分野】
【０００１】
本発明は、圧力下で水の流れを通すことによって、「カプセル」として知られる充填体（refill）に入れられた物質を抽出する原理を使用した飲料の準備に関する。本発明はより詳細には、コーヒー・メーカーなどの飲料を作る機械用の抽出モジュールに関する。
【背景技術】
【０００２】
抽出される物質の所定の量を入れたカプセルからコーヒー、紅茶、又はココアなどの飲料を作ることは、従来技術である。カプセルの形式は、飲料を作る動作を簡単にし、物質の見える跡を残すことなくきれいに作ることを保証し、作られた製品の再現性及び品質を管理する利点がある。
【０００３】
カプセルからの抽出の原理は普通、（ｉ）耐圧チャンバ内にカプセルを入れること、（ｉｉ）カプセルの面の１つに穴を開けること、（ｉｉｉ）閉鎖した加圧環境を作り出して液体コーヒー又は他の抽出物を製造するように、ある量の熱湯をカプセルに入れること、（ｉｖ）カプセルの反対側の面を通して液体抽出物を放出すること、及び（ｖ）カップなどの適当な容量の容器内に抽出物を集めることからなる。
【０００４】
カプセルを抽出システム内に装填し、そこから取り除く問題は、既にいくつかの特許刊行物の主題であった。
【０００５】
ヨーロッパ特許出願第１０９０５７４Ａ１は、固定顎部及び可動顎部の１対の顎部を備える抽出装置に関し、可動顎部は固定部に連節して固定部上に移動し、複数のアームを備える閉レバー機構は、可動部を固定部の上で閉じるようにこれと連結している。
【０００６】
国際特許出願公開第ＷＯ０１／３０２１８Ａ１号では、原理は同様であるが、顎部が再び開いたときに、抽出チャンバの底部からカプセルを取り外すように、可動顎部の引張アームに連結された、カプセルを取り出す機構が加えて設けられている。
【０００７】
これらの原理に基づき、固定部及び可動部の２つの部分を備え、任意選択的にはエジェクタに連結される閉鎖装置が知られている。しかし、これらの装置は基本的に手動閉鎖装置であり、閉鎖機能を自動化するのにはあまり適していない。また、連節軸の動作により、このようなシステムは、部分を互いに嵌合させる際の間隙及び問題を避けるように、高精度で設計され、組み立てられなければならないことに留意すべきである。
【０００８】
国際特許出願公開第ＷＯ９５／１７１２１号は、固定ピストン及び可動円筒体でできており、ボイラに面して配置されたアセンブリを備える装置に関する。一方のボイラともう一方の固定ピストン及び円筒体の間には、パッケージを受け入れ、定位置に保持し、排出する手段を含む区域がある。保持手段及び受入手段は異なる手段である。保持手段は完全には後退可能でなく、パッケージの側縁部を保持するようにボイラと円筒体の間に直接配置されており、受入手段は後退可能であり、重力に対抗してパッケージを簡単に止めるように、円筒体の片側に配置されている。このような装置は、カプセル（又はパッケージ）を抽出チャンバ内の定位置に同時に保持し、正確に芯合わせするように種々の部品を使用するので、複雑である。これにより、抽出システムを閉じるために手段を移動させるいくつかの別個の機構が必要になる。保持手段のオフセット位置はまた、妨害電波又は早期摩耗の問題を生じる可能性がある。さらに、保持手段及びボイラの周面位置により、このような装置はまた比較的かさばる。
【０００９】
国際特許出願公開第ＷＯ９８／４７４１８号は、水平面で使用される予め測定された粒剤の垂直抽出の際に動作するエスプレッソ・マシーンを、垂直面で使用できる予め測定された粒剤の水平抽出の際に動作するエスプレッソ・マシーンに切り替える方法に関する。このマシーンは、抽出部材を作動させる手段とは別個の電子機械操作手段を使用して、抽出部材の下に移動させることができる単一の後退可能部品からなる受入及び取出手段を有する。
【００１０】
国際特許出願公開第ＷＯ００／３８５５８号は、水平面内の２つの可動部からなる自動機械用抽出チャンバに関し、可動部の一方には熱湯が供給され、もう一方はフィルタを有し、２つの可動部は横軸線に沿って一方を他方と反対に垂直に旋回させるように取り付けられている。
【００１１】
国際特許出願公開第ＷＯ００／４４８６８号は、互いに向かって又は互いに離れて移動することができるように、垂直に移動できる２つの部分からなる抽出チャンバを備える抽出装置に関し、これらの部分は反対方向に旋回動作を伝達できる偏心シャフト上に取り付けられており、抽出装置は水平動作及び旋回動作を組み合わせて、抽出チャンバを開閉するステップを共に結合させるように、各偏心シャフトと各移動部の間で制動された旋回リンクを備えている。
【発明の開示】
【発明が解決しようとする課題】
【００１２】
本発明の目的は、従来技術の装置の欠点を克服しつつ、カプセルの挿入、正確な位置決め、及び取出しを簡単にする抽出装置を提案することである。
【課題を解決するための手段】
【００１３】
これに関して、本発明は抽出する物質を入れたカプセルから飲料を作るために圧力下で抽出するモジュールにであって、第１の抽出サブアセンブリと第２の抽出サブアセンブリとを備え、第２の抽出サブアセンブリが、閉鎖時に第１のサブアセンブリに対して移動して、閉鎖閉位置において、閉鎖平面内でカプセルを囲む抽出チャンバを形成し、また、開位置では、前記２つのサブアセンブリ間に十分な空間を維持して、カプセルを該２つのサブアセンブリ間に挿入できるようになっている抽出手段と、前記２つのサブアセンブリ間にカプセルを保持及び位置決めし、該２つのサブアセンブリ間にカプセルを保持するように開口空間を部分的に閉じる手段と、を備えたモジュールにおいて、保持及び位置決め手段が、可動抽出サブアセンブリの直線変位に対して同軸的に移動でき、また、第２の可動サブアセンブリによって後退位置に直線的に押し戻され、それによって前記２つのサブアセンブリがカプセルの周りで閉じることができるようになっていることを特徴とするモジュールに関する。
【００１４】
したがって、公知の従来技術と異なり、１つの同じ変位軸線に沿った整合により、詰りを防ぐことによって装置の信頼性が増し、また装置の全体の寸法が小さくなる。第１のサブアセンブリはベースを備えることができ、この上に保持及び位置決め手段を取り付け、摺動可能に案内して、このベースに沿って移動することができる。
【００１５】
保持及び位置決め手段は、閉鎖平面内の複数の軸線に沿って開口空間内でカプセルを芯合わせすることが可能な単一の部品の形態になっていることが好ましい。
【００１６】
したがって、複数の方向軸線に沿った保持及び位置決め機能が単一の部品によって行われ、装置はより簡単で、より信頼性があり、より小型になる。
【００１７】
例えば、カプセルを保持し、芯合わせする開口円筒部、及び抽出サブアセンブリのベースの周りに取り付けられた環状案内部を有する保持及び位置決め手段により、カプセルを閉鎖平面内の複数の方向に沿って正確に保持し、芯合わせすることができる。
【００１８】
好ましい一実施例では、カプセルをモジュールから取り出すカプセル取出手段が設けられる。カプセルがかなり湿り、圧力の影響により抽出手段の表面に対して緊密に押し付けられると、取出手段は各抽出後にカプセルを取り外す。取出手段はまた、モジュールが水平に対して僅かに傾斜しただけの場合であっても、カプセルを排出するのを助ける。
【００１９】
第２の可動サブアセンブリが第１の抽出サブアセンブリから離れるときに、第２の可動サブアセンブリの直線戻り動作によって、開口中に、カプセルを取り出す取出手段が操作されることが好ましい。この構成はまた、システムを簡単にするのを助ける。
【００２０】
より詳細には、保持及び位置決め手段は、抽出サブアセンブリが閉じている場合、後退位置で係止され、カプセルが取出手段によって取り出された後にだけ、保持位置で係止が外される。後退位置で保持及び位置決め手段の係止を外すのは、可動抽出サブアセンブリが離れるときに、可動抽出サブアセンブリの直線戻り動作によって直接達成することができる。保持及び位置決め手段はその後、１つ又は複数の戻りばね又は他の任意の同等の手段などの弾性手段の戻り影響を受けて、保持位置に戻ることができる。
【００２１】
保持及び位置決め手段の係止外し作動をカプセルの取出しに関連させることによって、信頼性のある連続的且つ制御された自動機能が得られ、抽出サブアセンブリ間に十分な空間があり、保持及び位置決め手段が新しいカプセルを保持する位置まで戻る前に、カプセルが取り出されることを保証する。
【００２２】
取出手段は種々の方法で作動させることができる。好ましい一実施例では、２つの抽出サブアセンブリが閉じている場合は、取出手段が弾性的に張力を受け、２つのサブアセンブリが再び開いた場合は、弾性的な張力から解放されて取出しが生じる。このような構成の利点は、取出しを行なう、又は開口を電気的又は電子的に命令する別個の機構を使用する必要なく、取出しを抽出サブアセンブリの開口に関連させるということである。例えば、取出手段は、固定抽出サブアセンブリに連節された、リングの形のレバーからなっていてもよい。保持及び位置決め手段によって支承される、少なくとも１つの板ばね又は他の任意の同等の手段との接触により、レバーに張力を加えることができる。
【００２３】
可動抽出サブアセンブリは、油圧又は電気手段によって閉鎖時に作動させることができる、好ましくはピストン・タイプの直線作動手段を有することが好ましい。
【００２４】
好ましい一実施例では、第１の抽出サブアセンブリが固定されている。第１の抽出サブアセンブリは、カプセルを開く解放要素を有するカプセル受入区域を備えている。第２の可動サブアセンブリは、相補的カプセル受入区域、及び水をカプセルに供給する手段を備えている。
【００２５】
本発明の他の特徴及び利点は、本発明の好ましい実施例を示す、添付の図面を参照すればより良く理解されるだろう。
【実施例】
【００２６】
図１〜図５を参照すると、抽出モジュール１は、カプセル１２を受け入れ、圧力下でそのカプセルに水を通過させることによって、そこから液体抽出物を抽出する抽出手段を備えている。抽出手段は、固定されていることが好ましい第１のサブアセンブリ１０と、移動可能であることが好ましく、閉鎖時にサブアセンブリ１０と協働する第２のサブアセンブリ１１とを有する。サブアセンブリ１０、１１はそれぞれ、閉じているときにカプセルの一面を受け入れるための受入区域２、５を有する。第１のサブアセンブリ１０の受入区域は、普通は圧力分配プレート２１の一部を形成する複数の錐体領域などの解放要素である、カプセル開口要素２２を有する。
【００２７】
固定サブアセンブリ１０はベース又は胴体６を有し、これを流路６０が貫通していて、液体抽出物の抽出チャンバからの流出を可能とする。ベース６は、例えば図４に示すように、側部が本体８に固定されている。本体８及びベース６は、スロット１５を備える挿入側と、カプセル用の出口開口部１６を備える取出側とを有する内部空間１４を画定する。
【００２８】
本体はまた、可動抽出サブアセンブリの一部を形成するピストン２０を通すための中心穴８０を備える。ピストンは本体の穴８０を通して取り付けられ、カプセルを開くように貫通要素５０を有する受入区域を備える抽出物噴霧装置５と一体的に連結される。ピストン２０及び噴霧装置５は、単一片として同軸に組み立てられ、水を噴霧装置５により分配するように配置された水取入路５１を有する。
【００２９】
ピストンは、ピストンの端部に固定されたリング１４０と本体内のハウジングとの間に配置された圧縮ばね１５０を介して、本体を通して弾性的に取り付けられる。ピストンと本体の内側の間の密封は、ピストンと本体の内側の間に形成された環状バッフルの両側に配置されたシール３０、１６０を使用して達成される。それら間に、２つのシール３０、１６０は圧力チャンバ８１を画定し（図３）、その圧力チャンバは、本体の上部に配置された流体入口８２を通して供給される油圧流体の影響下で膨張できるようになっている。
【００３０】
したがって、基本的にピストン２０及び噴霧装置５からなる可動サブアセンブリは、ピストンのリング１４０と本体８の間に作用するばね１５０によって加えられる圧縮力により、抽出チャンバが開いている位置、すなわち固定サブアセンブリの受入区域から離れた位置に保持されることが理解されるであろう。このようにして、油圧流体を圧力チャンバ８１内に通すことによって、ピストン及び噴霧装置を単一片として閉鎖方向Ｆ１に押すように、ばねが圧縮される。
【００３１】
図１〜図３の開口状態では、カプセル１２をスロット１５に挿入することができるように、十分な空間１４が２つの対向する受入区域２、５の間に維持されている。カプセルは、使用者自身によって手動で、又は本出願には記載しない半自動又は自動装填手段によって、スロット１５に挿入することができる。
【００３２】
本発明によると、保持及び位置決め部品９が、カプセルをモジュールの閉鎖平面Ｐ内の定位置に保持するように、可動サブアセンブリ１１と固定サブアセンブリ１０の間に設けられている。保持及び位置決め部品９は、図７に詳細に示されているように、一部開口部分円筒部９０によりいくつかの方向軸線に沿ってカプセルを固定するように配置されている。その部品はまた、固定抽出サブアセンブリのベース６の周りに取り付けられた、環状案内部９１を有する。案内部９１は取出手段７と共に、好ましくは環の形で（本明細書中に以下に詳細に説明する）、カプセルの縁部を保持する保持ショルダとして働く。図３に示すように、挿入されると、カプセルの縁部はまた、ベース６の上部縁によって保持される。噴霧装置が下降したときには、ベース６の上部縁上で密封が達成される。前記部品の各側では、該部品は、本体の案内溝８３、８４と係合する２つのフィンガ９３、９４によって本体８に沿って延びている。モジュールが開いている場合、保持及び位置決め部品９を保持位置、すなわち、円筒部９０が部分的に空間１４を閉じ、特に出口開口部１６及び縁部を該出口開口部の方向と垂直な方向で閉じる位置に保持する弾性戻りばね８５を介して、前記フィンガは前記案内溝の上端部に連結される。
【００３３】
前記部品の円筒部９０は、カプセルを受入れるために受入区域２を部分的に囲むように位置決めされている。円筒部９０は、受入区域の周面に近接し、カプセルをいくつかの方向軸線に沿って保持し、カプセルが確実に芯合わせされるように、幾何学的にカプセルの縁部１２０に倣った形状を有し、好ましくは１００から１８０度の間に亘って周面上に延びることが好ましい。円筒部は、好ましくは、スロット１５と反対側で芯合わせされるように、空間１４の一部を閉じる。部品９はしたがって、可動サブアセンブリを作動させる手段、すなわちピストン２０及び噴霧装置５の直線変位に対して、軸線Ｉに沿ってベース６の周りに同軸に取り付けられている。
【００３４】
部品９は、保持位置と後退位置の間でベースの円筒部６１に沿って移動することができ、抽出サブアセンブリをカプセルの周りで閉じることを可能にしている。図１及び２の状態では、部品９は、ベースの円筒部６１の上部に該部品を保持する戻りばね８５の作用下でカプセルを保持及び位置決めする位置にある。
【００３５】
抽出モジュールはまた、抽出後にカプセルを取り外し、モジュールから取り出すのを助けるカプセル取出機構７を有する。カプセル取出機能は実際、システム内に楔留め又は付着されたカプセルを手動で取り除く必要なく、限定されない抽出サイクル回数に亘り、確実に作動すべきである。前記取出機構は、カプセルを持ち上げて受入区域２の表面から取り外すように設けられている。抽出中、カプセルには、カプセルの囲い中に水が蓄積されることにより、かなりの内圧がかかる。カプセルは、圧力分配プレートの解放要素に接触して材料を引き裂かれることによって開かれる。したがって、抽出の後、カプセルの表面は圧力分配プレートの解放で「打ち抜き(stamp)」され、力はカプセルを取り外し、取り出すように、受入区域表面から外側に加えられなければならない。
【００３６】
取出機構は、２つの抽出サブアセンブリが閉じているときに、弾性的に張力を受け、２つのサブアセンブリが再び開かれたときに、この張力が解放されて取出しを行なうように設計されている。この目的で、取出機構７は、リング部７１及び固定抽出サブアセンブリのベース６上の連節ピン６２に連節された端部７２を備えるレバーからなっている。抽出モジュールが閉じることが可能なように、レバーのリング部の直径は受入区域２より実質的に大きいが、この直径はカプセルの縁部と係合し、カプセルを取り外すことができるように、カプセルの縁部の直径より小さい。レバー７０は静止位置では、保持及び位置決め部品９内に形成されたリセス９５に格納されていることが好ましい。レバーを取出位置に駆動(trigger)するため、保持及び位置決め部品は、レバーの端部７２と協働する、部品９の縁に固定された板の形の弾性要素９２を有する。弾性要素９２の自由部は、レバーの端部と接触することが可能なようにリセス９５の上方を延在し、取出中にリング部を持ち上げる効果を有する、。
【００３７】
図２及び図４に示すように、取出手段によるカプセルの取出中に保持及び位置決め部品９を後退させた状態に維持するため、部品９を後退位置に係止する機構が設けられている。係止機構は、部品のフィンガ９３、９４の端部に位置決めされた２つの当接表面９６、９７を有する。表面９６、９７は、部品９が固定抽出サブアセンブリのベースに沿って下がると、本体の案内溝８３、８４内に収納された２つのスタッド８６、８７に係止してこれらと協働する。
【００３８】
最後に、保持及び位置決め部品９の係止を外し、部品を図１及び２に示された最初の保持及び位置決め位置に戻すことを可能にする機構が設けられている。この機構は、部品９のフィンガの内側のスタッド９８、９９を有する。このスタッドは、ピストンが上昇するときに、ピストンの周面に位置決めされたフック２２０、２２１によって作動されるように設計されている。
【００３９】
次に、カプセルの挿入、閉鎖、開口、及び取出しのステップの理解を容易にするように、抽出モジュールの作動の原理を説明する。
【００４０】
図３は、開位置にある抽出サブアセンブリを備えたモジュールを示している。モジュールは、重力を利用することによって、カプセルの挿入及び取出しを容易にするように、水平に対して傾斜していることが好ましい。傾斜は、５から９０度、好ましくは２０から８０度までの間で変化してもよい。圧縮ばね１５０の影響を受けて、ピストンは十分な空間１４を作り出すように、後退位置に保持されている。保持及び芯合わせ部品９は、戻りばね８５によってカプセルを保持及び位置決めする位置に係合される。したがって、カプセルをスロット１５を通して挿入することができる。カプセルが挿入されると、カプセルの縁部１２０は部品の相補的形状９０の部分に当接し、それによってカプセルが抽出区域の中間に芯合わせされる。したがって、カプセルは圧力分配プレート２１に当接して受入区域２上に自由に載置される。
【００４１】
図５は、モジュールを閉じるステップを示す。ピストン２０は、油圧流体を圧力チャンバ８１内に入れることによって作動される。ピストンは方向Ｆ１へ向けてカプセルに対して閉じるように噴霧装置５を駆動する。ピストンが下降すると、保持及び位置決め部品９は、部品がベース６の底部の後退位置にくるまで、ピストンの下縁部によって押し戻される。閉鎖の終わりには、移動するサブアセンブリが取出機構７に張力を加える。特に、噴霧装置のシール５２はレバー７０を折り曲げ位置に保持するが、部品９の弾性要素は、レバーの端部７２に対する部品９の相対移動により、弾性的に折り曲げられる。部品９が下降すると、固定された端部は、移動する板９２を折り曲げ、それによって取出機構に張力を加える。
【００４２】
モジュールが閉じると、部品９は係止機構によって後退位置に自動的に係止される。より正確には、部品９のフィンガの当接表面９６、９７は、本体の当接表面８６、８７と協働し、それによって部品９が固定及び係止される。
【００４３】
熱湯圧力下で液体抽出物を抽出することからなる抽出動作は、それ自体知られており、本出願で説明する必要はない。
【００４４】
図６は、再開口及び取出ステップを示す。再開口は、ピストン２０及び噴霧装置５が方向Ｆ２に上昇することによって行われる。部品９は上記係止機構によって係止されたままであるが、ピストンの上昇は、閉鎖中に板内に生じた張力を解放させることによって、取出機構７を徐々に解放する。取出機構のレバーはその後、連節ピン６２の周りで旋回し、それによってカプセルを取り外し、出口開口部１６側で垂直に対してさらに傾斜させる。カプセルはその後、重力を受けて、空のカプセル用容器（図示せず）内に落ちることができる。取出機構の動作は、ピストンの上昇と同時である。ピストンの移動の終わりには、部品９はスタッド９８、９９に作用するピストンのフック２２０、２２１によって解放されて、フィンガ９３、９４を離して移動させ、当接表面を係脱させる。部品９はその後、戻りばね８４、８５によって保持及び位置決め位置に戻される。
【００４５】
本発明は、あらゆるタイプの予め測定されたカプセルを使用して、飲料分配器又は機械内に設置することができる抽出モジュールに関する。分配器又は機械は、必要な容量によって、１つ又は複数のモジュールを含むことができる。本発明のモジュールは、普通に利用可能なものより信頼性があり、迅速な装填／抽出／取出サイクルを提供する。
【図面の簡単な説明】
【００４６】
【図１】カプセル挿入状態での、本発明によるモジュールの全体斜視図である。
【図２】カプセルが定位置に保持された、同じ状態での、図１のＩ−Ｉ断面図である。
【図３】傾斜したカプセル挿入状態での、図２のＩＩ−ＩＩ断面図である。
【図４】本発明によるモジュールの分解斜視図である。
【図５】モジュールがカプセルの周りで閉じられた状態での、図１のＩ−Ｉ断面図である。
【図６】カプセル取出状態構成での、図１のＩＩ−ＩＩ断面図である。
【図７】本発明のモジュールの保持及び位置決め手段の詳細図である。
【図１】
2006516432.tif 000003
【図２】
2006516432.tif 000004
【図３】
2006516432.tif 000005
【図４】
2006516432.tif 000006
【図５】
2006516432.tif 000007
【図６】
2006516432.tif 000008
【図７】
2006516432.tif 000009
【国際調査報告】
2006516432.tif 000010
2006516432.tif 000011
2006516432.tif 000012
2006516432.tif 000013
2006516432.tif 000014
2006516432.tif 000015